(57)【要約】【課題】活性炭の粉末からなる活性炭粉末層を含んでなり、飲用、或いは食物に含まれる雑菌などを吸収、ろ過する活性炭粉末層を具えたセラミック製の飲食用の容器を提供する。【解決手段】  陶土からなる陶土層と活性炭の粉末からなる活性炭粉末層とから形成し、焼結して特定の食器の形状に形成する。【選択図】  図１
0003135850.tif 000002
【実用新案登録請求の範囲】
【請求項１】
粘土と適宜な比率で活性炭の粉末とを混ぜ合わせて形成し、焼結して特定の食器の形状に形成することを特徴とするセラミック製の飲食用の容器。
【請求項２】
前記セラミック製の飲食用の容器が、上端に開口を形成したカップ状の本体と、該本体の外側に焼結して形成した取手とを具えてなるマグカップであることを特徴とする請求項１に記載するセラミック製の飲食用の容器。
【請求項３】
前記飲食用の容器が深さのある空間部を具えた碗であることを特徴とする請求項１に記載するセラミック製の飲食用の容器。
【請求項４】
前記飲食用の容器が浅い空間部を具えた皿であることを特徴とする請求項１に記載するセラミック製の飲食用の容器。
【請求項５】
前記飲食用の容器が柄と、柄の一端に一体に延伸した容器部を具えたおたまであることを特徴とする請求項１に記載するセラミック製の飲食用の容器。
【請求項６】
前記粘土と、適宜な比率で活性炭の粉末とを混ぜ合わせた粘土とを交互に重ね合わせて特定の食器の形状に形成することを特徴とするセラミック製の飲食用の容器。
【考案の詳細な説明】
【技術分野】
【０００１】
この考案は、セラミック製の飲食用の容器に関し、特に活性炭を組み込んだ飲食用に使用するセラミック製の飲食用の容器に関する。
【背景技術】
【０００２】
一般に家庭で使用されている碗、皿、スプーン、湯のみなどの食器の多くは耐熱性を具えたセラミックが材料として使用されている。セラミックの材料は、“陶土（磁土）”など自然から形成される基本元素の一つである。
【０００３】
よって、大量で、価格が安いという特性を具えている。また、陶土は泥ショウの段階において極めて大きな造詣空間を具えてなり、創作者の創造性により、どのような形状にも形成することができる。このため、セラミックの食器は家庭において極めて重要な位置を占めているのである。
【０００４】
セラミックの食器は価格が安いだけでなく、形状を様々に変形することができる、という特性を具えているため、多くの人に使用されてきた。
【０００５】
しかしながら、時代の変化に伴い、食器の設計の重点を「創造性の巧さ」だけではなく、現在の消費市場で重視されてきている「体内の環境保護」という流れに合わせる必要がでてきている。
【考案の開示】
【考案が解決しようとする課題】
【０００６】
この考案は、活性炭の粉末を含んでなり、飲用、或いは食物に含まれる雑菌などを吸収、ろ過するセラミック製の飲食用の容器を提供することを課題とする。
【課題を解決するための手段】
【０００７】
そこで、本考案者は従来の技術に見られる欠点に鑑みて鋭意研究を重ねた結果、粘土と適宜な比率で活性炭の粉末とを混ぜ合わせて形成し、焼結して特定の食器の形状に形成するセラミック製の飲食用の容器によって課題を解決できる点に着眼し、かかる知見に基づいて本考案を完成させた。
【０００８】
以下、この考案について具体的に説明する。
請求項１に記載の粘土と適宜な比率で活性炭の粉末とを混ぜ合わせて形成し、焼結して特定の食器の形状に形成する。
【０００９】
請求項２に記載のセラミック製の飲食用の容器は、請求項１におけるセラミック製の飲食用の容器が、上端に開口を形成したカップ状の本体と、該本体の外側に焼結して形成した取手とを具えてなるマグカップである。
【００１０】
請求項３に記載のセラミック製の飲食用の容器は、請求項１における飲食用の容器が深さのある空間部を具えた碗である。
【００１１】
請求項４に記載のセラミック製の飲食用の容器は、請求項１における飲食用の容器が浅い空間部を具えた皿である。
【００１２】
請求項５に記載のセラミック製の飲食用の容器は、請求項１における飲食用の容器が柄と、柄の一端に一体に延伸した容器部を具えたおたまである。
【００１３】
請求項６に記載のセラミック製の飲食用の容器は、粘土と、適宜な比率で活性炭の粉末とを混ぜ合わせた粘土とを交互に重ね合わせて特定の食器の形状に形成する。
【考案の効果】
【００１４】
この考案によるセラミック製の飲食用の容器は、活性炭の粉末を組み込んで形成されるため、飲用、或いは食用する内容物に含まれる有害物質、或いは消毒薬のにおいを吸収、ろ過し、飲用者の体への負担を抑えるという効果を有する。
【考案を実施するための最良の形態】
【００１５】
この考案は、活性炭の粉末を含んでなり、飲用、或いは食物に含まれる雑菌などを吸収、ろ過するセラミック製の飲食用の容器であって、粘土と適宜な比率で活性炭の粉末とを混ぜ合わせて形成し、焼結して特定の食器の形状に形成する。
かかるセラミック製の飲食用の容器の構造と特徴を詳述するために具体的な実施例を挙げ、図示を参照にして以下に説明する。
【実施例】
【００１６】
図１、図２は、この考案のセラミック製の食器のうち、マグカップを呈する形状に形成した場合の実施例を示したものである。
【００１７】
図面によれば、該マグカップ１は、粘土（粘土に属する特性を具え、高純度で、焼結温度が１０００度を超える陶土か、或いは純度が比較的低く、焼結温度が約８００度で、且つコストが比較的低い陶土でもよい）と活性炭の粉末とを適宜な比率で混ぜ合わせ、上端に開口を形成したカップ状の本体１０と、弧状の取手１１とを形成し、該取手１１を本体１０の外側に貼着させて高温（陶土、或いは磁土の特性により決められた温度）で焼結することにより形成する。
【００１８】
焼結すると、図示したような水やお茶などの飲料を内部に入れて飲むために供する活性炭を組み込んだセラミック製のマグカップ１になる。
【００１９】
上述のマグカップ１は、従来の粘土（陶土、或いは磁土）から形成し、焼結した製品とは異なり、高温（８００度を超える）で処理した活性炭を研磨して極めて微細な活性炭の粉末にした後、該活性炭の粉末を適宜な比率で粘土に混合して焼結した活性炭を組み込んだセラミック製のマグカップ１である。
【００２０】
このため、該マグカップ１で水やお茶などを飲用する場合、沸騰しても除去することができなかった消毒水の匂い（塩素ガス）、或いはその他微小の有害物質などがいずれも、高温で処理した後、活性炭の内部に形成された無数の微細な孔を通して吸収、ろ過されるため、飲用する茶や水などの内容物に消毒薬のにおいを感じることがない。
【００２１】
また、活性炭の粉末を組み込んで形成、焼結したセラミック製のマグカップは、複数の孔を具えた活性炭が酸性の金属類を溶解し、天然の鉱物質に含まれる弱酸性の物質へ転化させるため、内容物を飲用する場合に自然な甘さを感じる以外に、水など内容物のPH値の特性を調整する。
【００２２】
よって、内容物を飲用した人の体に影響を与えることがなく、自然に健康的な飲用効果を得ることができる。また、この考案は、「体内の環境保護」という目的を達成することができ、健康という概念に基づいた実用的な製品であるということができる。
【００２３】
図３は、この考案の活性炭を組み込んだセラミック製の食器の他の実施例を示したものである。この実施例のマグカップ２は、粘土と活性炭の粉末を混合した粘土とが本体の側面に交互になるように形成して焼結した製品であって、活性炭の複数の孔が水などの内容物の雑菌、消毒薬のにおいなどをろ過するという特性を具えてなる。
【００２４】
この考案のセラミック製の食器は、活性炭を組み込んだセラミック製の食器であって、上述の実施例のようなマグカップだけでなく、いずれの形状にも形成することができ、制限されることがない。即ち、この考案のセラミック製の食器には、ご飯やおかずなどを盛ることができる深い空間部を具えた碗、或いは魚や肉、野菜などを大量に盛り付けるために供する浅い空間部を具えた皿、或いは柄と、柄の一端に容器部を具えたおたま、或いは図１、図２に開示すうようなマグカップなどの製品を含んでなる。
【００２５】
また、この考案は、従来の製品に比して、活性炭の粉末を高温で処理するため、内部に複数の微細な孔を形成する特性を具えてなる。よって、本体の内部に入れた内容物に含まれる有害物質、消毒薬のにおいを吸収、ろ過され、飲用者の体への負担がなく（或いは負担を抑え）、安心して使用できるという作用を有する。
【００２６】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００２７】
【図１】この考案の活性炭を組み込んだセラミック製の食器をマグカップに形成した状態を示した斜視図である。
【図２】図１に開示したマグカップを示した断面図である。
【図３】この考案の活性炭を組み込んだセラミック製の食器をマグカップ状に形成した他の実施例を示した斜視図である。
【符号の説明】
【００２８】
１   マグカップ
２   マグカップ
１０   本体
１１   取手
【図１】
0003135850.tif 000003
【図２】
0003135850.tif 000004
【図３】
0003135850.tif 000005
【手続補正書】
【提出日】平成19年7月26日(2007.7.26)
【手続補正１】
【補正対象書類名】実用新案登録請求の範囲
【補正対象項目名】全文
【補正方法】変更
【補正の内容】
【実用新案登録請求の範囲】
【請求項１】
陶土からなる陶土層と活性炭の粉末からなる活性炭粉末層とから形成し、焼結して特定の食器の形状に形成することを特徴とする活性炭粉末層を具えたセラミック製の飲食用の容器。
【請求項２】
前記陶土層及び活性炭粉末層が混ぜ合わせて形成された混合層であることを特徴とする請求項１に記載の活性炭粉末層を具えたセラミック製の飲食用の容器。
【請求項３】
前記活性炭粉末層を具えたセラミック製の飲食用の容器が、上端に開口を形成したカップ状の本体と、該本体の外側に焼結して形成した取手とを具えてなるマグカップであることを特徴とする請求項１、２に記載する活性炭粉末層を具えたセラミック製の飲食用の容器。
【請求項４】
前記飲食用の容器が深さのある空間部を具えた碗であることを特徴とする請求項１、２に記載する活性炭粉末層を具えたセラミック製の飲食用の容器。
【請求項５】
前記飲食用の容器が浅い空間部を具えた皿であることを特徴とする請求項１、２に記載する活性炭粉末層を具えたセラミック製の飲食用の容器。
【請求項６】
前記飲食用の容器が柄と、柄の一端に一体に延伸した容器部を具えたおたまであることを特徴とする請求項１、２に記載する活性炭粉末層を具えたセラミック製の飲食用の容器。
【手続補正２】
【補正対象書類名】明細書
【補正対象項目名】全文
【補正方法】変更
【補正の内容】
【考案の詳細な説明】
【技術分野】
【０００１】
この考案は、セラミック製の飲食用の容器に関し、特に活性炭の粉末の層を組み込んだ飲食用に使用する活性炭粉末層を具えたセラミック製の飲食用の容器に関する。
【背景技術】
【０００２】
一般に家庭で使用されている碗、皿、スプーン、湯のみなどの食器の多くは耐熱性を具えたセラミックが材料として使用されている。セラミックの材料は、“陶土（磁土）”など自然から形成される基本元素の一つである。
【０００３】
よって、大量で、価格が安いという特性を具えている。また、陶土は泥ショウの段階において極めて大きな造詣空間を具えてなり、創作者の創造性により、どのような形状にも形成することができる。このため、セラミックの食器は家庭において極めて重要な位置を占めているのである。
【０００４】
セラミックの食器は価格が安いだけでなく、形状を様々に変形することができる、という特性を具えているため、多くの人に使用されてきた。
【０００５】
しかしながら、時代の変化に伴い、食器の設計の重点を「創造性の巧さ」だけではなく、現在の消費市場で重視されてきている「体内の環境保護」という流れに合わせる必要がでてきている。
【考案の開示】
【考案が解決しようとする課題】
【０００６】
この考案は、活性炭の粉末からなる活性炭粉末層を含んでなり、飲用、或いは食物に含まれる雑菌などを吸収、ろ過する活性炭粉末層を具えたセラミック製の飲食用の容器を提供することを課題とする。
【課題を解決するための手段】
【０００７】
そこで、本考案者は従来の技術に見られる欠点に鑑みて鋭意研究を重ねた結果、陶土からなる陶土層と活性炭の粉末からなる活性炭粉末層とから形成し、焼結して特定の食器の形状に形成する活性炭粉末層を具えたセラミック製の飲食用の容器によって課題を解決できる点に着眼し、かかる知見に基づいて本考案を完成させた。
【０００８】
以下、この考案について具体的に説明する。
請求項１に記載の活性炭粉末層を具えたセラミック製の飲食用の容器は、陶土からなる陶土層と活性炭の粉末からなる活性炭粉末層とから形成し、焼結して特定の食器の形状に形成する。
【０００９】
請求項２に記載の活性炭粉末層を具えたセラミック製の飲食用の容器は、請求項１における陶土層及び活性炭粉末層が混ぜ合わせて形成された混合層である。
【００１０】
請求項３に記載の活性炭粉末層を具えたセラミック製の飲食用の容器は、請求項１、２における活性炭粉末層を具えたセラミック製の飲食用の容器が、上端に開口を形成したカップ状の本体と、該本体の外側に焼結して形成した取手とを具えてなるマグカップである。
【００１１】
請求項４に記載の活性炭粉末層を具えたセラミック製の飲食用の容器は、請求項１，２における飲食用の容器が深さのある空間部を具えた碗である。
【００１２】
請求項５に記載の活性炭粉末層を具えたセラミック製の飲食用の容器は、請求項１、２における飲食用の容器が浅い空間部を具えた皿である。
【００１３】
請求項６に記載の活性炭粉末層を具えたセラミック製の飲食用の容器は、請求項１、２における飲食用の容器が柄と、柄の一端に一体に延伸した容器部を具えたおたまである。
【考案の効果】
【００１４】
この考案による活性炭粉末層を具えたセラミック製の飲食用の容器は、活性炭の粉末を組み込んで形成されるため、飲用、或いは食用する内容物に含まれる有害物質、或いは消毒薬のにおいを吸収、ろ過し、飲用者の体への負担を抑えるという効果を有する。
【考案を実施するための最良の形態】
【００１５】
この考案は、活性炭の粉末からなる活性炭粉末層を含んでなり、飲用、或いは食物に含まれる雑菌などを吸収、ろ過する活性炭粉末層を具えたセラミック製の飲食用の容器であって、陶土からなる陶土層と活性炭の粉末からなる活性炭粉末層とから形成し、焼結して特定の食器の形状に形成する。
かかる活性炭粉末層を具えたセラミック製の飲食用の容器の構造と特徴を詳述するために具体的な実施例を挙げ、図示を参照にして以下に説明する。
【実施例】
【００１６】
図１、図２は、この考案のセラミック製の食器のうち、マグカップを呈する形状に形成した場合の実施例を示したものである。
【００１７】
図面によれば、該マグカップ１は、陶土層（陶土に属する特性を具え、高純度で、焼結温度が１０００度を超える磁気土か、或いは純度が比較的低く、焼結温度が約８００度で、且つコストが比較的低い陶土でもよい）と適宜な比率で混ぜ合わせた活性炭粉末層からなり、上端に開口を形成したカップ状の本体１０と、弧状の取手１１とを形成し、該取手１１を本体１０の外側に貼着させて高温（陶土、或いは磁土の特性により決められた温度）で焼結することにより形成する。
【００１８】
焼結すると、図示したような水やお茶などの飲料を内部に入れて飲むために供する活性炭を組み込んだセラミック製のマグカップ１になる。
【００１９】
上述のマグカップ１は、従来の陶土層（陶土、或いは磁土）から形成し、焼結した製品とは異なり、高温（８００度を超える）で処理した活性炭を研磨して極めて微細な活性炭の粉末にした後、該活性炭の粉末を適宜な比率で陶土に混合して焼結した活性炭粉末層を具えたセラミック製のマグカップ１である。
【００２０】
このため、該マグカップ１で水やお茶などを飲用する場合、沸騰しても除去することができなかった消毒水の匂い（塩素ガス）、或いはその他微小の有害物質などがいずれも、高温で処理した後、活性炭の内部に形成された無数の微細な孔を通して吸収、ろ過されるため、飲用する茶や水などの内容物に消毒薬のにおいを感じることがない。
【００２１】
また、活性炭の粉末を組み込んで形成、焼結したセラミック製のマグカップは、複数の孔を具えた活性炭が酸性の金属類を溶解し、天然の鉱物質に含まれる弱酸性の物質へ転化させるため、内容物を飲用する場合に自然な甘さを感じる以外に、水など内容物のPH値の特性を調整する。
【００２２】
よって、内容物を飲用した人の体に影響を与えることがなく、自然に健康的な飲用効果を得ることができる。また、この考案は、「体内の環境保護」という目的を達成することができ、健康という概念に基づいた実用的な製品であるということができる。
【００２３】
図３は、この考案の活性炭を組み込んだセラミック製の食器の他の実施例を示したものである。この実施例のマグカップ２は、陶土層と活性炭の粉末からなる活性炭粉末層を混合した陶土とが本体の側面に交互になるように形成して焼結した製品であって、活性炭の複数の孔が水などの内容物の雑菌、消毒薬のにおいなどをろ過するという特性を具えてなる。
【００２４】
この考案のセラミック製の食器は、活性炭粉末層を具えたセラミック製の食器であって、上述の実施例のようなマグカップだけでなく、いずれの形状にも形成することができ、制限されることがない。即ち、この考案のセラミック製の食器には、ご飯やおかずなどを盛ることができる深い空間部を具えた碗、或いは魚や肉、野菜などを大量に盛り付けるために供する浅い空間部を具えた皿、或いは柄と、柄の一端に容器部を具えたおたま、或いは図１、図２に開示すうようなマグカップなどの製品を含んでなる。
【００２５】
また、この考案は、従来の製品に比して、活性炭の粉末を高温で処理するため、内部に複数の微細な孔を形成する特性を具えてなる。よって、本体の内部に入れた内容物に含まれる有害物質、消毒薬のにおいを吸収、ろ過され、飲用者の体への負担がなく（或いは負担を抑え）、安心して使用できるという作用を有する。
【００２６】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００２７】
【図１】この考案の活性炭粉末層を具えたセラミック製の食器をマグカップに形成した状態を示した斜視図である。
【図２】図１に開示したマグカップを示した断面図である。
【図３】この考案の活性炭粉末層を具えたセラミック製の食器をマグカップ状に形成した他の実施例を示した斜視図である。
【符号の説明】
【００２８】
１       マグカップ
２       マグカップ
１０       本体
１１       取手